【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
次の構成要素［Ａ］、［Ｂ］および［Ｃ］からなるエポキシ樹脂組成物を強化繊維に含浸させてなるプリプレグ。
［Ａ］式（１）で表される構造を有するエポキシ樹脂；
【化１】
2015157958.tif 000001
ただし、式中、環Ｚは縮合多環式芳香族炭化水素環、Ｒ１およびＲ２は置換基、Ｒ３は水素原子またはメチル基を示し、ｋは０〜４の整数、ｍは０以上の整数、ｎは１以上の整数である；
［Ｂ］下記の［Ｂｘ］、［Ｂｙ］および［Ｂｚ］からなる群から選ばれる少なくとも１つの樹脂；
［Ｂｘ］ビスフェノール型エポキシ樹脂；
［Ｂｙ］アミン型エポキシ樹脂；
［Ｂｚ］熱可塑性樹脂；
［Ｃ］ポリアミン硬化剤。
【請求項２】
前記エポキシ樹脂組成物は、構成要素［Ａ］、［Ｂｘ］および［Ｃ］からなるエポキシ樹脂組成物であって、エポキシ樹脂の総量１００質量部中に［Ａ］を１０〜７０質量部、［Ｂｘ］を２０〜８０質量部含む、請求項１に記載のプリプレグ。
【請求項３】
前記エポキシ樹脂組成物は、さらに熱可塑性樹脂［Ｂｚ］をエポキシ樹脂の総量１００質量部に対して２〜３０質量部含む、請求項２に記載のプリプレグ。
【請求項４】
前記エポキシ樹脂組成物は、さらにアミン型エポキシ樹脂［Ｂｙ］をエポキシ樹脂の総量１００質量部中に１０〜５０質量部含む、請求項２または３に記載のプリプレグ。
【請求項５】
前記エポキシ樹脂組成物は、構成要素［Ａ］、［Ｂｙ］および［Ｃ］からなるエポキシ樹脂組成物である、請求項１に記載のプリプレグ。
【請求項６】
前記エポキシ樹脂組成物は、エポキシ樹脂の総量１００質量部中に［Ａ］を１０〜５０質量部、［Ｂｙ］を１０〜５０質量部含む、請求項５に記載のプリプレグ。
【請求項７】
前記エポキシ樹脂組成物は、さらに熱可塑性樹脂［Ｂｚ］をエポキシ樹脂の総量１００質量部に対して２〜３０質量部含む、請求項５または６に記載のプリプレグ。
【請求項８】
前記エポキシ樹脂組成物は、さらにビスフェノール型エポキシ樹脂［Ｂｘ］をエポキシ樹脂の総量１００質量部中に２０〜５０質量部含む、請求項５〜７のいずれかに記載のプリプレグ。
【請求項９】
前記エポキシ樹脂組成物は、構成要素［Ａ］、［Ｂｚ］および［Ｃ］からなるエポキシ樹脂組成物であって、熱可塑性樹脂［Ｂｚ］のガラス転移温度（Ｔｇ）が１５０℃以上である、請求項１に記載のプリプレグ。
【請求項１０】
前記エポキシ樹脂組成物は、さらにエラストマー［Ｄ］をエポキシ樹脂の総量１００質量部に対して２〜１５質量部含む、請求項１〜９のいずれかに記載のプリプレグ。
【請求項１１】
前記エポキシ樹脂組成物の８０℃における複素粘性率が０．１〜２００（Ｐａ・ｓ）の範囲にある、請求項１〜１０のいずれかに記載のプリプレグ。
【請求項１２】
強化繊維が炭素繊維である、請求項１〜１１のいずれかに記載のプリプレグ。
【請求項１３】
強化繊維およびエポキシ樹脂組成物の硬化物を含有する繊維強化複合材料であって、該エポキシ樹脂組成物が次の構成要素［Ａ］、［Ｂ］および［Ｃ］からなるエポキシ樹脂組成物である、繊維強化複合材料。
［Ａ］式（１）で表される構造を有するエポキシ樹脂；
【化２】
2015157958.tif 000002
ただし、式中、環Ｚは縮合多環式芳香族炭化水素環、Ｒ１およびＲ２は置換基、Ｒ３は水素原子またはメチル基を示し、ｋは０〜４の整数、ｍは０以上の整数、ｎは１以上の整数である；
［Ｂ］下記の［Ｂｘ］、［Ｂｙ］および［Ｂｚ］からなる群から選ばれる少なくとも１つの樹脂；
［Ｂｘ］ビスフェノール型エポキシ樹脂；
［Ｂｙ］アミン型エポキシ樹脂；
［Ｂｚ］熱可塑性樹脂；
［Ｃ］ポリアミン硬化剤。
【手続補正２】
【補正対象書類名】明細書
【補正対象項目名】発明の名称
【補正方法】変更
【補正の内容】
【発明の名称】プリプレグおよび繊維強化複合材料
【手続補正３】
【補正対象書類名】明細書
【補正対象項目名】０００１
【補正方法】変更
【補正の内容】
【０００１】
本発明は、航空宇宙用途に適した繊維強化複合材料、これを得るためのプリプレグに関するものである。
【手続補正４】
【補正対象書類名】明細書
【補正対象項目名】００１０
【補正方法】変更
【補正の内容】
【００１０】
本発明の目的は、耐熱性、靭性および弾性率に優れた硬化物を与えるエポキシ樹脂組成物を用いたプリプレグおよび繊維強化複合材料を提供することにある。
【手続補正５】
【補正対象書類名】明細書
【補正対象項目名】００１１
【補正方法】変更
【補正の内容】
【００１１】
本発明は、次の構成要素［Ａ］、［Ｂ］および［Ｃ］からなるエポキシ樹脂組成物を強化繊維に含浸させてなるプリプレグ。
［Ａ］式（１）で表される構造を有するエポキシ樹脂；
【手続補正６】
【補正対象書類名】明細書
【補正対象項目名】００１４
【補正方法】変更
【補正の内容】
【００１４】
本発明の一つ目の好ましい態様は、上記のエポキシ樹脂組成物において、構成要素［Ａ］、［Ｂｘ］および［Ｃ］からなり、エポキシ樹脂の総量１００質量部中に［Ａ］を１０〜７０質量部、［Ｂｘ］を２０〜８０質量部含む、プリプレグである。
【手続補正７】
【補正対象書類名】明細書
【補正対象項目名】００１５
【補正方法】変更
【補正の内容】
【００１５】
本発明の二つ目の好ましい態様は、上記のエポキシ樹脂組成物において、構成要素［Ａ］、［Ｂｙ］および［Ｃ］からなる、プリプレグである。
【手続補正８】
【補正対象書類名】明細書
【補正対象項目名】００１６
【補正方法】変更
【補正の内容】
【００１６】
本発明の三つ目の好ましい態様は、上記のエポキシ樹脂組成物において、構成要素［Ａ］、［Ｂｚ］および［Ｃ］からなり、熱可塑性樹脂［Ｂｚ］のガラス転移温度（Ｔｇ）が１５０℃以上である、プリプレグである。
【手続補正９】
【補正対象書類名】明細書
【補正対象項目名】００１７
【補正方法】削除
【補正の内容】
【手続補正１０】
【補正対象書類名】明細書
【補正対象項目名】００１９
【補正方法】変更
【補正の内容】
【００１９】
本発明によれば、耐熱性、靭性および弾性率に優れた硬化物を与えるエポキシ樹脂組成物を用いたプリプレグおよび繊維強化複合材料が得られる。
【手続補正１１】
【補正対象書類名】明細書
【補正対象項目名】００２０
【補正方法】変更
【補正の内容】
【００２０】
また、本発明の一つ目の好ましい態様によれば、さらに耐湿熱性に優れた硬化物を与えるエポキシ樹脂組成物を用いたプリプレグおよび繊維強化複合材料が得られる。
【手続補正１２】
【補正対象書類名】明細書
【補正対象項目名】００２１
【補正方法】変更
【補正の内容】
【００２１】
本発明の二つ目の好ましい態様によれば、さらに強度特性に優れた硬化物を与えるエポキシ樹脂組成物を用いたプリプレグおよび繊維強化複合材料が得られる。
【手続補正１３】
【補正対象書類名】明細書
【補正対象項目名】００２２
【補正方法】変更
【補正の内容】
【００２２】
本発明の三つ目の好ましい態様によれば、極めて高い靭性を示す硬化物を与えるエポキシ樹脂組成物を用いたプリプレグおよび繊維強化複合材料が得られる。
【手続補正１４】
【補正対象書類名】明細書
【補正対象項目名】００２３
【補正方法】変更
【補正の内容】
【００２３】
本発明に用いられるエポキシ樹脂組成物（以下、本発明のエポキシ樹脂組成物、ということがある。）は、次の構成要素［Ａ］、［Ｂ］および［Ｃ］からなる：
［Ａ］式（１）で表される構造を有するエポキシ樹脂；
【手続補正１５】
【補正対象書類名】明細書
【補正対象項目名】０１６８
【補正方法】変更
【補正の内容】
【０１６８】
本発明によれば、耐熱性、靭性および弾性率に優れた硬化物を与えるエポキシ樹脂組成物を用いたプリプレグおよび繊維強化複合材料を提供できる。かかるエポキシ樹脂組成物により得られる繊維強化複合材料は、圧縮強度および層間靱性に優れるため、特に構造材料に好適に用いられる。例えば、航空宇宙用途では主翼、尾翼およびフロアビーム等の航空機一次構造材用途、フラップ、エルロン、カウル、フェアリングおよび内装材等の二次構造材用途、ロケットモーターケースおよび人工衛星構造材用途等に好適に用いられる。また一般産業用途では、自動車、船舶および鉄道車両等の移動体の構造材、ドライブシャフト、板バネ、風車ブレード、各種タービン、圧力容器、フライホイール、製紙用ローラ、屋根材、ケーブル、補強筋、および補修補強材料等の土木・建築材料用途等に好適に用いられる。さらにスポーツ用途では、ゴルフシャフト、釣り竿、テニス、バトミントンおよびスカッシュ等のラケット用途、ホッケー等のスティック用途、およびスキーポール用途等に好適に用いられる。